(57)【要約】【課題】扉の剛性及び耐久性を高めることのできるシャワーバスを提供する。【解決手段】浴槽12の側壁に側部開口14を有し、この側部開口14を規定する左右の側面14a及び下端面14bには略矩形断面の突出レール20が構成されている。側部開口14の上方から抜き挿し可能な扉30には、その左右の側面30a及び下端面30bに、突出レール20を受け入れる受け溝36が形成されている。側部開口14の下端面14bにおいて横レール18を挟んで外側面22に比べて内側面24の方が低い高さレベルに設定され、また、内側面24は傾斜面で構成されている。扉30は内外２分割構造の中空体である。【選択図】  図７
2014039543.tif 000002
【特許請求の範囲】
【請求項１】
周囲壁を有する浴槽と、
該浴槽の周囲壁に形成され、上方に開放した略矩形の側部開口と、
該側部開口と相補的な形状を有し且つ該側部開口の上から該側部開口に抜き差し可能な扉とを有するシャワーバスにおいて、
前記側部開口を規定する左右の側面及びこれら左右の側面の下端同士を連結する下端面に形成され、正面視コ字状の突出レールと、
前記扉の左右の側面及びこれら左右の側面の下端同士を連結する下端面に形成され、前記側部開口の突出レールを受け入れる受け溝とを有することを特徴とするシャワーバス。
【請求項２】
前記側部開口を規定する下端面において前記突出レールよりも外方の外側面に比べて内方の内側面の高さレベルが低い、請求項１に記載のシャワーバス。
【請求項３】
前記扉の前記受け溝が外側下端部と内側下端部とで規定され、
該内側下端部の上下高さ寸法が、前記外側下端部の上下高さ寸法よりも大きく、
前記内側下端部の下端が前記外側下端部の下端よりも下位に位置している、請求項２に記載のシャワーバス。
【請求項４】
前記側部開口を規定する下端面において前記突出レールよりも内方の内側面が内方に向けて傾斜した傾斜面で構成されている、請求項２又は３に記載のシャワーバス。
【請求項５】
前記扉が外側扉ハーフと内側扉ハーフの内外２分割構造であり、外側扉ハーフと内側扉ハーフの突き合わせ面を互いに接着することにより中空の扉が構成されている、請求項１〜４のいずれか一項に記載のシャワーバス。
【請求項６】
前記外側扉ハーフ又は前記内側扉ハーフの少なくともいずれか一方の上部に突起又は窪みが形成され、この突起又は窪みに手を掛けることにより前記扉の開け閉めが可能である、請求項５に記載のシャワーバス。
【請求項７】
前記扉の内側面が下方に向かうに従って内方に変位した傾斜面で構成され、該傾斜面の傾斜角度が前記浴槽の内面の傾斜角度と同じである、請求項５又は６に記載のシャワーバス。
【発明の詳細な説明】
【技術分野】
【０００１】
本発明は、典型的には犬のシャンプーに用いられるシャワーバスに関する。
【背景技術】
【０００２】
ペット美容室ではペットをシャンプーする際にシャワーバスが用いられ、このシャワーバスの中でシャワー洗浄が行われている。現在入手可能なシャワーバスは、材料の違いからステンレス製とＦＲＰ製とに大別することができる。
【０００３】
ステンレス製のシャワーバスは、浴槽の側壁に形成された開口部に扉をヒンジ止めする構造が採用されている。
【０００４】
ＦＲＰ製の従来のシャワーバスを図１１に示す。図１１を参照して、従来のＦＲＰ製シャワーバス１は、浴槽２の側壁の一部を切り欠いた形状の側部開口３を有している。この側部開口３は上方に開放した正面視略矩形の形状を有し、この略矩形の側部開口３は上下にスライド可能な扉４によって開閉可能である。扉４は基本的には薄肉の平板で作られており、これを受け入れるスリット５ａを備えた正面視コ字状の枠５を上記正面視略矩形の側部開口３に取り付ける構造が採用されている。
【発明の概要】
【発明が解決しようとする課題】
【０００５】
上記ＦＲＰ製のシャワーバス１は扉４を上方から抜き差しすることで、側部開口３を開放し又は側部開口３を閉じることができる。開放した側部開口３を使って例えば大型犬を浴槽２から出し入れできる。
【０００６】
しかしながら、扉４が薄い平板で構成されているため、経年変化による変形又は例えば大型犬が暴れたりして扉４に外力が加わったとき撓みや変形が生じ易いという問題を有している。扉４の変形は扉４の開け閉めに支障を及ぼす原因となり、ひいては扉４の周縁部分から漏水が発生する要因となる。また、スリット５ａを備えた開口枠５は、このスリット５ａに汚れが溜まり易いうえに、これを掃除するのが厄介であることから見た目だけでなく衛生面でも問題になり易い。
【０００７】
本発明の目的は、扉の剛性及び耐久性を高めることのできるシャワーバスを提供することにある。
本発明の更なる目的は、ＦＲＰ等の成形が難しい強化プラスチック製のシャワーバスを前提として扉の剛性及び耐久性を高めることのできるシャワーバスを提供することにある。
【課題を解決するための手段】
【０００８】
上記の技術的課題は、本発明によれば、
周囲壁を有する浴槽と、
該浴槽の周囲壁に形成され、上方に開放した略矩形の側部開口と、
該側部開口と相補的な形状を有し且つ該側部開口の上から該側部開口に抜き差し可能な扉とを有するシャワーバスにおいて、
前記側部開口を規定する左右の側面及びこれら左右の側面の下端同士を連結する下端面に形成され、正面視コ字状の突出レールと、
前記扉の左右の側面及びこれら左右の側面の下端同士を連結する下端面に形成され、前記側部開口の突出レールを受け入れる受け溝とを有することを特徴とするシャワーバスを提供することにより達成される。
【０００９】
本発明では、扉側に受け溝を設けたことで、この溝を設けるために必然的に扉の厚みを厚くせざるを得ない。このことを利用して扉の厚みを大きくすることで扉の剛性を高めることができる。また、従来とは逆に、扉側に受け溝を設け、浴槽側を突出レールにしたことから掃除も容易であり、衛生面での管理も容易である。本発明の典型的なシャワーバスは、浴槽及び扉がＦＲＰの成型品で構成される。
【００１０】
本発明の好ましい実施形態では、前記側部開口を規定する下端面において前記突出レールよりも外方の外側面に比べて内方の内側面の高さレベルを低く設定することで、扉の内面に当たったシャワー水を円滑に浴槽内に導くことができる。
【００１１】
本発明の好ましい実施形態では、前記側部開口を規定する下端面において前記突出レールよりも内方の内側面が内方に向けて傾斜した傾斜面で構成することで、扉の内面に当たったシャワー水を円滑に浴槽内に導くことができる。
【００１２】
本発明の最も好ましい実施形態では、前記扉が外側扉ハーフと内側扉ハーフの内外２分割構造であり、外側扉ハーフと内側扉ハーフの突き合わせ面を互いに接着することにより中空の扉が構成されている。これによれば、ＦＲＰのような強化プラスチックでも周面に受け溝を容易に形作ることができると共に厚みを備えた扉を中空構造にすることで扉の軽量化が可能である。
【００１３】
本発明の他の目的、作用効果は、下記の本発明の実施例の詳細な説明により明らかになろう。
【図面の簡単な説明】
【００１４】
【図１】実施例のシャワーバスの斜視図である。
【図２】実施例のシャワーバスの浴槽の側壁に形成した側部開口部分の縦断面図である。
【図３】実施例のシャワーバスを構成する扉の正面図である。
【図４】図３に図示の扉の側面図である。
【図５】図３のＶ−Ｖ線に沿って切断した断面図である。
【図６】図２のマルで囲んだ部分の拡大図である。
【図７】図２のマルで囲んだ部分の拡大図であり、好ましい実施形態を説明するための図である。
【図８】扉の変形例を説明するための図である。
【図９】図８の扉を内側ハーフと外側ハーフの２分割構造にした例を説明するための図である。
【図１０】図９の２分割構造の扉の更なる変形例を説明するための図である。
【図１１】従来のＦＲＰ製のシャワーバスの斜視図である。
【発明を実施するための形態】
【実施例】
【００１５】
以下に、添付の図面に基づいて本発明の好ましい実施例を説明する。
【００１６】
図１は実施例のシャワーバスを示す。図１を参照して、実施例のシャワーバス１０は平面視略矩形の浴槽１２を有し、この浴槽１２の周囲壁の一部を構成する一つの側壁には、上方に開放し且つ浴槽１２の内部の底面近傍まで延びる正面視略矩形の側部開口１４が形成されている。従来と同様に、浴槽１２の内面は下方に向けて内方に変位する傾斜面で構成されている。
【００１７】
浴槽１２の側部開口１４は、上下に延びる左右の側面１４ａと、この側面１４ａに連続し且つ水平方向に延びる下端面１４ｂとで規定されている。なお、作図上の理由から一方の側面１４ａは図面上に現れていない。各側面１４ａには、その上端部から下端まで連続して上下方向に延びる略矩形断面の縦レール１６が形成されており、また、下端面１４ｂには、その一端から他端まで連続して水平方向に延びる略矩形断面の横レール１８が形成されている。左右の縦レール１６の下端と横レール１８の端とは連結され、左右の縦レール１６とこの下端同士を連結する横レール１８とで正面視コ字状の連続した略矩形断面の突出レール２０が構成されている。
【００１８】
シャワーバス１０は、側部開口１４と相補的な形状を有する扉３０を有し、扉３０は側部開口１４の上方から抜き挿し可能である。この扉３０を上げ下げすることによって、側部開口１４を開放した状態と、側部開口１４を閉じた状態とを作ることができる。扉３０を取り外して側部開口１４を開放することで、この側部開口１４を通じて犬などのペットを浴槽１２に出し入れすることができる。他方、扉３０を装着して側部開口１４を閉じることで、浴槽１２内のペットに対してシャワーを使ったときに、シャワー水が外部に飛び散るのを防止できる。
【００１９】
扉３０は側部開口１４と実質的に同じ形状を有し、扉３０を側部開口１４に装着したときには、浴槽１２の側部開口１４の周囲部分と段差の無い一体的な外形形状となるように、その厚みＤ（図１）が設定されている。ここに、浴槽１２及び扉３０はＦＲＰの成形品である。図４を参照して、扉３０の左右の上下に延びる側面３０ａには、その幅方向中央部分に断面略矩形の縦溝３２が設けられ、この縦溝３２は扉３０の側面３０ａの上端部から下端まで連続して上下方向に延びている。なお、作図上の理由から一方の側面３０ａは図面上に現れていない。また、扉３０の下端面３０ｂ（図４）には、その幅方向中央部分に断面略矩形の横溝３４が設けられ、この横溝３４は扉３０の下端面３０ｂの一端から他端まで連続して水平方向に延びており、この横溝３４の端は上述した左右の縦溝３２の端に連結され、左右の縦溝３２とこの下端同士を連結する横溝３４とで正面視コ字状の連続した略矩形断面の受け溝３６が構成されている。
【００２０】
図１を参照して、扉３０を側部開口１４に装着したときに、側部開口１４の突出レール２０が扉３０の受け溝３６に受け入れられて扉３０の開け閉めが案内されると共に扉３０を完全に閉じたときに突出レール２０とこれを受け入れる受け溝３６とが協働して止水効果を発揮するように設計されている。
【００２１】
図２は、浴槽１２の側部開口１４の部分を縦断面した図である。上述したように浴槽１２及び扉３０は共にＦＲＰの成型品であり、側部開口１４に形成した断面略矩形の突出レール２０の成形性及び強度を確保するのに突出レール２０の幅Ｗ１は約２０mmであるのが好ましい。浴槽１２の側部開口１４と扉３０との間の止水性を確保する上で、突出レール２０を受け入れる受け溝３６は、突出レール２０の幅Ｗ１（図２）よりもほんの僅か大きな幅寸法Ｗ２（図４）に設定するのが好ましく、具体的には受け溝３６の幅Ｗ２を突出レール２０の幅Ｗ１よりも１mm程度大きい値に設定するのが良い（Ｗ２＝約２１mm）。また、扉３０の受け溝３６の幅Ｗ２が比較的大きいことから掃除も容易である。
【００２２】
また、側部開口１４と扉３０との隙間においては、側部開口１４の下端の突出レール２０と扉３０の横溝３４とが直接的に接するようにするのが止水性を高める上で効果的であり、突出レール２０の高さＨ１を横溝３４の深さＨ２（図４）よりも大きく設定するのが良い（Ｈ１＞Ｈ２）。
【００２３】
また、扉３０の内面において扉３０の下端から下への水の流れを円滑にして外部への漏水を防止するうえで、側部開口１４の下端面１４ｂは、横レール１８を挟んで外側面２２と内側面２４とが同じ高さレベルであってもよいが（図６）、外側面２２に比べて内側面２４の方を低位に設定するのが良い（図７）。換言すると、横レール１８のレール外方側壁１８ａの高さＨ１に比べてレール内方側壁１８ｂの高さＨ３の方が高いのが良い（Ｈ３＞Ｈ１）。
【００２４】
浴槽１２の側部開口１４を規定する下端面１４ｂにおいて横レール１８を挟んで内側面２４は、図６に示すように水平面で構成しても良いが、好ましくは内方に向けて斜め下方に傾斜した傾斜面で構成するのが良い（図７の傾斜角度θ）。これにより扉３０に当たったシャワー水が、傾斜した内側面２４を通じて浴槽１２内に移動し易くなるため、大量のシャワー水が扉３０の内面に当たったとしても扉３０の下端と側部開口１４の下端との間から外部に漏水し難くなる。
【００２５】
扉３０が円滑に開け閉めできるようにその下端部の幅Ｗ３は、上端部の幅Ｗ４よりも小さく設計するのが良い（Ｗ３＜Ｗ４：図３）。すなわち、扉３０を下方に向かうに従って先細りの形状にするのが好ましい。最も好ましくは、扉３０を持ち上げている過程で側部開口１４から取り外すことができるように上述した幅Ｗ３、Ｗ４を設定するのがよい。これによれば、扉３０を浴槽１２の上端よりも上に持ち上げる前に扉３０を浴槽１２から取り外すことができる。勿論、扉３０を装着するときも同じである。
【００２６】
また、側面３０ａ及び下端面３０ｂに受け溝３６を備えたＦＲＰ製の扉３０を製造する困難性を回避するために図５に示すように、扉３０を縦割りにした外側扉ハーフ３１と内側扉ハーフ３８との２分割構造を採用して、この内外の扉ハーフ３１、３８の合わせ面を互いに接着することで厚みのある扉３０を作るのが良い。この扉３０は中空であることから比較的軽量であり操作性もよい。
【００２７】
扉３０を作るのに２分割構造を採用したことから、例えば外側扉ハーフ３１及び/又は内側扉ハーフ３８の上部に窪み４０を設け（図５）、この窪み４０に手を掛けて扉３０を開け閉めできるようにすることができる。勿論、窪み４０に代えて突起であってもよい。
【００２８】
実施例のシャワーバス１０によれば、上述したように、浴槽１２の側部開口１４の周囲部分と段差の無い一体化した外形形状を作る厚みの扉３０を用意したことによって、例えば大型犬が浴槽１２の中で暴れて扉３０に大きな衝撃を加えたとしても扉３０の剛性を維持することができる。
【００２９】
また、浴槽１２の側部開口１４周り及び扉３０との間の上述した種々の止水構造によって浴槽１２からの漏水を抑制することができる。
【００３０】
図８は扉３０の変形例を示す。図８に図示の扉３０は、横溝３４を挟む内側の下端部３０ｃが外側の下端部３０ｄよりも下方に延びる長さ寸法を有している。これにより大量のシャワー水が扉３０の内面に当たったとしても扉３０の内側下端部３０ｃが下方に延びているため、シャワー水が、内側下端部３０ｃの下端から横レール１８を乗り越えて外部に漏水し難くなる。
【００３１】
この止水効果を高めるのに、内側下端部３０ｃと外側下端部３０ｄとの間隔を横レール１８の幅とほぼ同じ寸法に設計するのが好ましい。また、内側下端部３０ｃを外側下端部３０ｄよりも下方に延長する構成を採用する場合に、図７を参照して説明した、側部開口１４の下端面１４ｂは、横レール１８を挟んで外側面２２に比べて内側面２４の方を低位に設定するのが良く、また、内側面２４を傾斜面で構成するのがよい。
【００３２】
図９は、上記図８を参照した変形例を、前述した扉３０を縦割りにした外側扉ハーフ３１と内側扉ハーフ３８との２分割構造に適用した例を示す。図９の参照符号Ｈ２ａは外側下端部３０ｄの上下高さ寸法を示し、Ｈ２ｂは内側下端部３０ｃの上下高さ寸法を示す。この図９から分かるように、内側下端部３０ｃの上下寸法Ｈ２ｂは、外側下端部３０ｄの上下寸法Ｈ２ａよりも大きい（Ｈ２ｂ＞Ｈ２ａ）。
【００３３】
図１０は、上記図９の例の変形例を示す。図１０から分かるように、内側扉ハーフ３８は下方に向けて徐々に内側に変位した傾斜面で構成され、内側下端部３０ｃの幅寸法Ｗinは外側下端部３０ｄの幅寸法Ｗoutよりも拡大している。このように内側扉ハーフ３８を下方に向かうに従って内方側に変位する傾斜面で構成することにより、内側扉ハーフ３８に当たったシャワー水が内側下端部３０ｃの下端面を回り込む可能性を低減することができる。
【００３４】
図１０の例において、内側扉ハーフ３８の傾斜面の角度は、浴槽１２の内面の傾斜角度と同じであるのが見栄えの観点から好ましい。
【産業上の利用可能性】
【００３５】
本発明のシャワーバスは、犬や猫のようなペットの美容に適用できる他に、保育園で幼児の水浴びやシャワーパンに適用できる。
【符号の説明】
【００３６】
１０  実施例のシャワーバス
１２  浴槽
１４  側部開口
２０  浴槽側の突出レール
３０  扉
３０ｃ  扉の内側下端部
３０ｄ  扉の外側下端部
３１  外側扉ハーフ
３６  扉側の受け溝
３８  内側扉ハーフ
４０  窪み
【図１】
2014039543.tif 000003
【図２】
2014039543.tif 000004
【図３】
2014039543.tif 000005
【図４】
2014039543.tif 000006
【図５】
2014039543.tif 000007
【図６】
2014039543.tif 000008
【図７】
2014039543.tif 000009
【図８】
2014039543.tif 000010
【図９】
2014039543.tif 000011
【図１０】
2014039543.tif 000012
【図１１】
2014039543.tif 000013